(57)【要約】【課題】本発明は、操作者が携帯時に容易に触れない位置に鏡を設けた構造の携帯端末装置を提供することを課題とする。【解決手段】本発明は、画面部１と操作部２とが重なって閉じた状態から、画面部１と操作部２とをスライドさせて開いた状態にするよう形状変化可能な携帯端末装置１０において、前記画面部１の、該画面部１が前記操作部２と重なったときに該操作部２側の面１ｂに、鏡３を設けたことを特徴とする。また本発明は、前記鏡３が前記画面部の面１ｂよりも凹んでいることを特徴とする。【選択図】図３
2010219921.tif 000002
【特許請求の範囲】
【請求項１】
画面部と操作部とが重なって閉じた状態から、画面部と操作部とをスライドさせて開いた状態にするよう形状変化可能な携帯端末装置において、
前記画面部の、該画面部が前記操作部と重なったときに該操作部側の面に、鏡を設けたことを特徴とする携帯端末装置。
【請求項２】
前記鏡が前記画面部の面よりも凹んでいることを特徴とする請求項１に記載の携帯端末装置。
【請求項３】
前記画面部と前記操作部とのスライドが、向きを変えながらするものであることを特徴とする請求項１または２に記載の携帯端末装置。
【請求項４】
前記画面部と前記操作部とをスライドさせたときに、前記鏡の面を拭き取るように擦る拭き取り部材を設けたことを特徴とする請求項１乃至３のうちのいずれか１項に記載の携帯端末装置。
【請求項５】
前記鏡を照らすライト部を設けたことを特徴とする請求項１乃至４のうちのいずれか１項に記載の携帯端末装置。
【請求項６】
前記携帯端末装置が携帯電話機であることを特徴とする請求項１乃至５のうちのいずれか１項に記載の携帯端末装置。
【発明の詳細な説明】
【技術分野】
【０００１】
本発明は携帯端末装置に関し、特に携帯電話機等の携帯端末装置に関する。
【背景技術】
【０００２】
従来、携帯する鏡として手鏡などがあるが、この場合荷物が増えるため、また必需品ではないこともあり、常時携帯するには向いていない。しかし、外出時に髪型やネクタイ、化粧などの身なりを確認するには鏡は必要であり、手元にあると便利である。
【０００３】
一方、最近では携帯電話機などの携帯端末装置は広く普及し常時携帯されて利用される。そこで、携帯電話機に鏡を取り付けることが考えられる（特許文献１参照）。
【先行技術文献】
【特許文献】
【０００４】
【特許文献１】特開２００４−１０４２０５号公報
【発明の概要】
【発明が解決しようとする課題】
【０００５】
ところが、上述のように携帯電話機に鏡を取り付けた例は今までもあるが、どれも普及していない。これは鏡という付加機能にもかかわらず、携帯電話機本体へ大きな機構が必要であったり、携帯電話の外観を損ねたり、鏡が汚れて不快な気持ちを利用者に与えたり、操作が面倒であることが理由としてあげられる。
【０００６】
たとえば携帯電話機の表示画面が鏡に切り替わるタイプの場合には、待機画面表示などから鏡に切り替える操作が必要である。
【０００７】
また携帯電話機の表示画面にマジックミラーのようなシールを張るタイプの場合、携帯電話機としての表示のときであっても、操作者が見るのはシールを透過した画像等であるため、携帯電話機の表示画面に表示される写真やテレビやインターネットなどの画質を視覚的に落としてしまう。
【０００８】
さらに、棒型携帯電話機あるいは折りたたみ式携帯電話機の画面部および操作部の裏側に鏡を備えたタイプの場合、鏡が外側になるため指紋や汚れがつきやすく使用者へ不快感を与える。
【０００９】
また、画面部あるいは操作部の表側へ鏡を備えた場合、画面及び操作ボタンを避けた場所が必要となるが、画面は大型化する一方携帯電話機本体は小型化の進む近年の携帯電話機において十分容姿を確認することができる大きさの鏡を備える場所を確保するのは難しい。
【００１０】
また、スライド式携帯電話機の画面部裏側へ市販の鏡を張った場合、スライド時に鏡が操作部表側へ引っかかりスライドできなくなるなど故障の原因となる。特許文献１では、スライド式携帯電話の画面部裏側に鏡を設けており、この点についての考慮はされていない。
【００１１】
本発明は上記の点にかんがみてなされたもので、操作者が携帯時に容易に触れない位置に鏡を設けた構造の携帯端末装置を提供することを目的とする。
【課題を解決するための手段】
【００１２】
上記課題を解決するにあたり、本発明は、画面部と操作部とが重なって閉じた状態から、画面部と操作部とをスライドさせて開いた状態にするよう形状変化可能な携帯端末装置において、前記画面部の、該画面部が前記操作部と重なったときに該操作部側の面に、鏡を設けたことを特徴とする。
【００１３】
また本発明は、前記鏡が前記画面部の面よりも凹んでいることを特徴とする。
【００１４】
また本発明は、前記画面部と前記操作部とのスライドが、向きを変えながらするものであることを特徴とする。
【００１５】
また本発明は、前記画面部と前記操作部とをスライドさせたときに、前記鏡の面を拭き取るように擦る拭き取り部材を設けたことを特徴とする。
【００１６】
また本発明は、前記鏡を照らすライト部を設けたことを特徴とする。
【００１７】
また本発明は、前記携帯端末装置が携帯電話機であることを特徴とする。
【発明の効果】
【００１８】
本発明によれば、操作者が携帯時に容易に触れない位置に鏡を設けた構造の携帯端末装置を提供すること
すなわち本発明によれば、鏡を画面部裏側に備えることによって、鏡利用時は画面部を上へスライドさせるだけであるため非常に簡単である。
【００１９】
また、携帯電話機を使用する場合、操作部を持つのが自然であり、スライドを閉じた状態、スライドを開いた状態ともに画面部裏側に触れることはなく、鏡が手垢等で汚れることがなく利用者に不快感を与えない。
【００２０】
携帯電話を使用しない状態においても、画面部裏側に備えた鏡は操作部表側に面しているため傷がつかず汚れることもない。
【００２１】
また鏡の厚みを画面部裏側において枠よりも凹んだ厚さとすることで、スライドの開閉時に鏡と操作部とが引っかかることを防止することもできる。
【図面の簡単な説明】
【００２２】
【図１】本発明による携帯電話機の第１実施形態の構成を示す図であり、（ａ）は、携帯電話機を閉じて画面部表側から見た正面図であり、（ｂ）は、携帯電話機のスライドを開いて画面部表側から見た正面図である。
【図２】（ａ）は、図１（ｂ）を横から見た側面図であり、（ｂ）は、図１（ｂ）を後から見た背面図である。
【図３】本発明の第２実施形態であって、鏡を画面部裏側の凹の深さよりも薄い厚みのものとした携帯電話機を鏡の側から見た斜視図である。
【図４】本発明の第３実施形態の携帯電話機の構成を示す図であり、（ａ）は、携帯電話機を閉じて画面部表側から見た正面図であり、（ｂ）は、携帯電話機のスライドを開いて画面部表側から見た正面図である。
【図５】（ａ）は、図４（ｂ）を横から見た側面図であり、（ｂ）は、図４（ｂ）を後から見た背面図である。
【図６】本発明の第４実施形態の携帯電話機の構成を示す図であり、（ａ）は、携帯電話機のスライドを開いて画面部裏側から見た斜視図であり、（ｂ）は、携帯電話機のスライドを開いて横から見た側面図である。
【図７】本発明の第５実施形態の携帯電話機の構成を示す図であり、携帯電話機のスライドを開いて、画面部を下にして、画面部裏側から見た斜視図である。
【発明を実施するための形態】
【００２３】
以下、本発明の実施形態について図面を参照して詳細に説明する。
【００２４】
図１は、本発明による携帯電話機の第１実施形態の構成を示す図であり、（ａ）は、携帯電話機を閉じて画面部表側から見た正面図であり、（ｂ）は、携帯電話機のスライドを開いて画面部表側から見た正面図である。
【００２５】
また、図２（ａ）は、図１（ｂ）を横から見た側面図であり、図２（ｂ）は、図１（ｂ）を後から見た背面図である。
【００２６】
本実施形態の携帯電話機１０は、操作者に情報表示する表示画面を有する画面部１と、操作者が操作するボタン等を有する操作部２とを有して構成され、画面部１と操作部２とは、完全に重なり合った状態である閉じた状態から、互いをスライドさせて開いた状態へと移行する。
【００２７】
画面部１は画面４を有し、画面４のある側を画面部表側１ａと呼び、画面４のない側を画面部裏側１ｂと呼ぶ。
【００２８】
また、操作部２は操作ボタン５を有し、操作ボタン５のある側を操作部表側２ａと呼び、操作ボタン５のない側を操作部裏側２ｂと呼ぶ。
【００２９】
本実施形態の携帯電話機１０では、画面部裏側１ｂを凹型に形成しその中へ凹の深さとほぼ同じ厚みの鏡３を備えることを特徴とする。
【００３０】
このように携帯電話機１０の画面部裏側１ｂを凹型に形成し、その中へ鏡３を備えることによって、鏡３の使用時には、画面部１と操作部２とを互いにスライドさせて開くだけで鏡３が露出するので（図２（ｂ）参照）、そのほかの面倒な操作がいらないという効果を奏する。
【００３１】
また、鏡３の未使用時には、画面部１と操作部２とのスライドを閉じた状態であれば（図１（ａ）参照）、鏡３の面は操作部表側２ａの面によって塞がれ、鏡３は露出せず、このため鏡３が汚れることがない。
【００３２】
また、電話やメール、写真、テレビ、インターネットなど使用している状態で、画面部１と操作部２とのスライドを開いた状態であっても（図１（ｂ）、図２（ａ）、図２（ｂ）参照）、操作者は、操作部２を握り、操作ボタン５の操作をしており、画面部裏側１ｂに設けた鏡３には触れることがない。このように構成することによって、操作者が鏡３に触れないために指紋で汚れることはない。
【００３３】
さらにまた、本実施形態の携帯電話機１０では、画面部裏側１ｂのほぼ全面を鏡３で占めることができ、鏡３の大きさを、十分容姿を確認することができる大きさにすることができる。
【００３４】
図３は、本発明の第２実施形態であって、鏡を画面部裏側の凹の深さよりも薄い厚みのものとした携帯電話機を鏡の側から見た斜視図である。
【００３５】
本実施形態の携帯電話機１００は、鏡１３を画面部裏側１１ｂの凹の深さよりも薄い厚みのものとした点において、第１実施形態と異なる。
【００３６】
本実施形態の携帯電話機１００は、操作者に情報表示する表示画面を有する画面部１１と、操作者が操作するボタン等を有する操作部１２とを有して構成され、画面部１１と操作部１２とは、完全に重なり合った状態である閉じた状態から、互いをスライドさせて開いた状態へと移行する。
【００３７】
画面部１１は画面（図示せず）を有し、画面（図示せず）のある側を画面部表側と呼び、画面（図示せず）のない側を画面部裏側１１ｂと呼ぶ。
【００３８】
また、操作部１２は操作ボタン（図示せず）を有し、操作ボタン（図示せず）のある側を操作部表側と呼び、操作ボタン（図示せず）のない側を操作部裏側１２ｂと呼ぶ。
【００３９】
本実施形態の携帯電話機１００では、画面部裏側１１ｂを凹型に形成しその中へ凹の深さよりも薄い厚みの鏡１３を備えることを特徴とする。このため、鏡１３の面は画面部裏側１１ｂよりも凹んでいる。
【００４０】
このように携帯電話機１００の画面部裏側１１ｂを凹型に形成し、その中へ鏡１３を備え、その鏡１３を画面部裏側１１ｂの凹の深さよりも薄い厚みのものとすれば、鏡１３の使用時には、画面部１１と操作部１２とを互いにスライドさせて開くだけで鏡１３が露出するので、そのほかの面倒な操作がいらないという効果を奏する。
【００４１】
また、鏡１３の未使用時には、画面部１１と操作部１２とのスライドを閉じた状態であれば、鏡１３の面は操作部表側の面によって塞がれ、鏡１３は露出せず、このため鏡１３が汚れることがない。
【００４２】
また、電話やメール、写真、テレビ、インターネットなど使用している状態で、画面部１１と操作部１２とのスライドを開いた状態であっても、操作者は、操作部１２を握り、操作ボタンの操作をしており、画面部裏側１１ｂに設けた鏡１３には触れることがない。さらに鏡１３を、画面部裏側１１ｂの凹の深さよりも薄い厚みのものとすれば、操作者がより触れにくくなるという効果を奏する。このように構成することによって、操作者が鏡１３に触れないために指紋で汚れることはない。
【００４３】
さらにまた、本実施形態の携帯電話機１００では、画面部裏側１１ｂのほぼ全面を鏡１３で占めることができ、鏡１３の大きさを、十分容姿を確認することができる大きさにすることができる。
【００４４】
さらに再度説明すると、鏡１３を画面部裏側１１ｂへ備えることによる効果として以下が挙げられる。
【００４５】
鏡１３利用時は画面部１１を上へスライドさせるだけであるため非常に簡単である。
【００４６】
携帯電話機１００を使用する場合、操作部１２を持つのが自然であり、スライドを閉じた状態、スライドを開いた状態ともに、画面部裏１１ｂ側に触れることはなく、鏡１３が手垢で汚れることがなく、操作者に不快感を与えない。
【００４７】
携帯電話機１００を使用しないスライドを閉じた状態においても、画面部裏側１１ｂに備えた鏡１３は操作部表側に面しているため傷がつかず汚れることもない。
【００４８】
また鏡１３の厚みを画面部裏側１１ｂの凹から出ない厚さとすることで、スライドの開閉時に鏡１３と操作部１２とが引っかかることを防止することもできる。
【００４９】
図４は、本発明の第３実施形態の携帯電話機の構成を示す図であり、（ａ）は、携帯電話機を閉じて画面部表側から見た正面図であり、（ｂ）は、携帯電話機のスライドを開いて画面部表側から見た正面図である。
【００５０】
また、図５（ａ）は、図４（ｂ）を横から見た側面図であり、図５（ｂ）は、図４（ｂ）を後から見た背面図である。
【００５１】
本実施形態の携帯電話機２００は、操作者に情報表示する表示画面を有する画面部２１と、操作者が操作するボタン等を有する操作部２２とを有して構成され、画面部２１と操作部２２とは、完全に重なり合った状態である閉じた状態から、画面部２１を横向きにしながら（回転しながら）操作部２２に対してスライドさせて開いた状態へと移行する。
【００５２】
画面部２１は画面２４を有し、画面２４のある側を画面部表側２１ａと呼び、画面２４のない側を画面部裏側２１ｂと呼ぶ。
【００５３】
また、操作部２２は操作ボタン２５を有し、操作ボタン２５のある側を操作部表側２２ａと呼び、操作ボタン２５のない側を操作部裏側２２ｂと呼ぶ。
【００５４】
本実施形態の携帯電話機２００では、画面部裏側２１ｂを凹型に形成しその中へ凹の深さとほぼ同じまたはそれよりも薄い厚みの鏡２３を備えることを特徴とする。
【００５５】
このように携帯電話機２００の画面部裏側２１ｂを凹型に形成し、その中へ鏡２３を備えることによって、鏡２３の使用時には、画面部２１を操作部２２に対して横向きにしながらスライドさせて開くだけで鏡２３が露出するので（図５（ｂ）参照）、そのほかの面倒な操作がいらないという効果を奏する。
【００５６】
また、鏡２３の未使用時には、画面部２１と操作部２２とのスライドを閉じた状態であれば（図４（ａ）参照）、鏡２３の面は操作部表側２２ａの面によって塞がれ、鏡２３は露出せず、このため鏡２３が汚れることがない。
【００５７】
また、電話やメール、写真、テレビ、インターネットなど使用している状態で、画面部２１と操作部２２とのスライドを開いた状態であっても（図４（ｂ）、図５（ａ）、図５（ｂ）参照）、操作者は、操作部２２を握り、操作ボタン２５の操作をしており、画面部裏側２１ｂに設けた鏡２３には触れることがない。さらに鏡２３を、画面部裏側２１ｂの凹の深さよりも薄い厚みのものとすれば、操作者がより触れにくくなるという効果を奏する。このように構成することによって、操作者が鏡２３に触れないために指紋で汚れることはない。
【００５８】
さらにまた、本実施形態の携帯電話機２００では、画面部裏側２１ｂのほぼ全面を鏡２３で占めることができ、鏡２３の大きさを、十分容姿を確認することができる大きさにすることができる。
【００５９】
図６は、本発明の第４実施形態の携帯電話機の構成を示す図であり、（ａ）は、携帯電話機のスライドを開いて画面部裏側から見た斜視図であり、（ｂ）は、携帯電話機のスライドを開いて横から見た側面図である。
【００６０】
本実施形態の携帯電話機３００は、操作者に情報表示する表示画面を有する画面部３１と、操作者が操作するボタン等を有する操作部３２とを有して構成され、画面部３１と操作部３２とは、完全に重なり合った状態である閉じた状態から、画面部３１と操作部３２とを互いにスライドさせて開いた状態へと移行する。
【００６１】
画面部３１は画面（図示せず）を有し、画面（図示せず）のある側を画面部表側３１ａと呼び、画面（図示せず）のない側を画面部裏側３１ｂと呼ぶ。
【００６２】
また、操作部３２は操作ボタン（図示せず）を有し、操作ボタン（図示せず）のある側を操作部表側３２ａと呼び、操作ボタン（図示せず）のない側を操作部裏側３２ｂと呼ぶ。
【００６３】
本実施形態の携帯電話機３００では、画面部裏側３１ｂを凹型に形成しその中へ凹の深さとほぼ同じまたはそれよりも薄い厚みの鏡３３を備えることを特徴とする。
【００６４】
また、画面部３１と操作部３２との間の、操作部３２側には不織布などの拭き取り部材３６を有する。画面部３１と操作部３２とを互いにスライドさせると、鏡３３の鏡面を拭き取り部材３６が擦り、鏡面の汚れを拭き取ることができる。操作者は通話やメールなど鏡３３を利用する以外の画面部３１のスライド動作によって鏡３３の汚れを意識しないで拭き取ることができる。
【００６５】
図７は、本発明の第５実施形態の携帯電話機の構成を示す図であり、携帯電話機のスライドを開いて、画面部を下にして、画面部裏側から見た斜視図である。
【００６６】
本実施形態の携帯電話機４００は、操作者に情報表示する表示画面を有する画面部４１と、操作者が操作するボタン等を有する操作部４２とを有して構成され、画面部４１と操作部４２とは、完全に重なり合った状態である閉じた状態から、画面部４１と操作部４２とを互いにスライドさせて開いた状態へと移行する。
【００６７】
画面部４１は画面（図示せず）を有し、画面（図示せず）のある側を画面部表側と呼び、画面（図示せず）のない側を画面部裏側４１ｂと呼ぶ。
【００６８】
また、操作部４２は操作ボタン（図示せず）を有し、操作ボタン（図示せず）のある側を操作部表側と呼び、操作ボタン（図示せず）のない側を操作部裏側４２ｂと呼ぶ。
【００６９】
本実施形態の携帯電話機４００では、画面部裏側４１ｂを凹型に形成しその中へ凹の深さとほぼ同じまたはそれよりも薄い厚みの鏡４３を備えることを特徴とする。
【００７０】
また、操作部４２の画面部４１側先端には、画面部４１に設けた鏡４３を照らすライト部４７を設けている。
【００７１】
この構成によればライト部４７が広範囲に鏡４３を照らし暗い場所での鏡４３の利用を可能とする。
【産業上の利用可能性】
【００７２】
本発明は、携帯電話機等の携帯端末装置に適用可能である。
【符号の説明】
【００７３】
１０  携帯電話機
１  画面部
１ａ  画面部表側
１ｂ  画面部裏側
２  操作部
２ａ  操作部表側
２ａ  操作部裏側
３  鏡
４  画面
５  操作ボタン
【図１】
2010219921.tif 000003
【図２】
2010219921.tif 000004
【図３】
2010219921.tif 000005
【図４】
2010219921.tif 000006
【図５】
2010219921.tif 000007
【図６】
2010219921.tif 000008
【図７】
2010219921.tif 000009